(57)【要約】【課題】  電子回路ユニットの取付構造において、電子回路ユニットに応力が生じることを抑制する。【解決手段】  弾性を有する取付部２が電子回路ユニット１の筐体４に一体形成され、この取付部２を介して電子回路ユニット１が被取付部材３に取り付けられた構成であることにより、被取付部材３に形状誤差が有る場合でも、その形状誤差を取付部２が弾性変形して吸収するので、電子回路ユニット１が歪んだ状態で被取付部材３に取り付けられることを抑制することができる。【選択図】      図２
2007048845.tif 000002
【特許請求の範囲】
【請求項１】
電子部品が実装された回路基板とこの回路基板を支持する筐体とを有する電子回路ユニットを被取付部材に取り付ける電子回路ユニットの取付構造において、
前記筐体に一体形成された弾性を有する取付部を備え、この取付部を介して前記電子回路ユニットが前記被取付部材に取り付けられていることを特徴とする電子回路ユニットの取付構造。
【請求項２】
前記取付部は、蛇腹部を有していることを特徴とする請求項１に記載の電子回路ユニットの取付構造。
【請求項３】
前記筐体と前記被取付部材との間に、これら筐体と被取付部材とに当接した緩衝部材が配設されていることを特徴とする請求項１又は２に記載の電子回路ユニットの取付構造。
【発明の詳細な説明】
【技術分野】
【０００１】
本発明は、電子回路ユニットの取付構造に関する。
【背景技術】
【０００２】
従来、電子部品が実装された回路基板とこの回路基板を支持する筐体とを有する電子回路ユニットを、車体パネルなどの被取付部材にブラケットを介して取り付ける電子回路ユニットの取付構造構造が知られている（例えば、特許文献１参照）。
【特許文献１】特開２００１−２１１５２５号公報
【発明の開示】
【発明が解決しようとする課題】
【０００３】
しかしながら、このような電子回路ユニットの取付構造では、被取付部材の形状誤差によっては、各部の位置関係のずれにより取付誤差が生じ、電子回路ユニットが歪んだ状態で被取付部材に取り付けられ、電子回路ユニットに応力が生じてしまうことがある。
【０００４】
本発明は、上記事情に鑑みてなされたものであり、その目的は、電子回路ユニットの取付構造において、電子回路ユニットに応力が生じることを抑制することである。
【課題を解決するための手段】
【０００５】
上記目的を達成するために、請求項１の発明は、電子回路ユニットの取付構造において、電子回路ユニットの筐体に一体形成された弾性を有する取付部を備え、この取付部を介して前記電子回路ユニットが被取付部材に取り付けられていることを特徴とする。
【０００６】
したがって、被取付部材に形状誤差が有る場合でも、その形状誤差を取付部が弾性変形して吸収するので、電子回路ユニットが歪んだ状態で被取付部材に取り付けられることを抑制することができ、よって、電子回路ユニットに応力が生じることを抑制することができる。
【０００７】
また、請求項２の発明は、請求項１の発明において、前記取付部は、蛇腹部を有していることを特徴とする。
【０００８】
したがって、比較的簡素な構成で取付部の最大弾性変形量を大きくとることができるので、取付部の大型化を抑制しつつ、電子回路ユニットに応力が生じることを抑制することができる。
【０００９】
また、請求項３の発明は、請求項１又は２の発明において、前記筐体と前記被取付部材との間に、これら筐体と被取付部材とに当接した緩衝部材が配設されていることを特徴とする。
【００１０】
したがって、緩衝部材によって、電子回路ユニットの耐振性を向上させることができる。
【発明を実施するための最良の形態】
【００１１】
[第１の実施形態]
本発明の第１の実施形態について図１ないし図３を参照して説明する。図１は、本実施形態にかかる電子回路ユニットの取付構造を示す斜視図、図２は、電子回路ユニットの取付構造を示す正面図、図３は、電子回路ユニットの取付構造の一部を拡大して示す正面図である。
【００１２】
図１及び図２に示すように、電子回路ユニット１は、該電子回路ユニット１に一体形成された取付部２を介して被取付部材３の上面に取り付けられている。
【００１３】
電子回路ユニット１は、筐体４を備えている。筐体４は、平板状のベース部材５とこのベース部材５の上方を覆ってベース部材５に固定されたカバー６とを有して中空状に形成されている。この筐体４の内部には、電子部品が実装された回路基板（図示せず）が設けられており、筐体が、回路基板を支持している。カバー６の正面には、コネクタ部７が設けられており、このコネクタ部７を介して、回路基板と外部装置（図示せず）とが接続される。
【００１４】
被取付部材３は、例えば車両の車体に設けられており、平板状に形成されている。
【００１５】
取付部２は、カバー６の一側部に一体形成された弾性を有する第１の取付部８と、カバー６の他側部に形成された弾性を有する第２の取付部９とを備えている。これらの第１及び第２の取付部８，９は、カバー６から下方斜め側方に延設された傾斜部８ａ，９ａと、この傾斜部８ａ，９ａの下端部に接続された水平部８ｂ，９ｂとを備えた板ばねであり、水平部８ｂ，９ｂがネジ１０によって被取付部材３に固定されている。詳しくは、水平部８ｂ，９ｂには、ネジ１０が貫通するネジ孔（図示せず）が形成されている一方、被取付部材３には、ネジ１０が螺合するネジ部（図示せず）が形成されている。ここで、ネジ１０は、それらネジ孔とネジ部と共に第１及び第２の取付部８，９を被取付部材３に固定する固定手段１１を構成している。
【００１６】
また、第１の取付部８の傾斜部８ａには、図３に示すように、山折形状と谷折形状とが連続した形状の蛇腹部８ｃが形成されている。
【００１７】
このような構成においては、弾性を有する取付部２を介して電子回路ユニット１が被取付部材３に取り付けられていることにより、被取付部材３に形状誤差が有る場合でも、その形状誤差を取付部２が弾性変形して吸収するので、電子回路ユニット１が歪んだ状態で被取付部材３に取り付けられることを抑制することができ、よって、電子回路ユニット１に応力が生じることを抑制することができる。
【００１８】
また、本実施形態においては、取付部２が筐体４に一体形成されていることにより、取付部２が筐体４とは別体で設けられている場合に比べて、電子回路ユニット１と取付部２との間の位置関係の精度が向上されるので、被取付部材３への電子回路ユニット１の取付精度を向上させることができる。したがって、これによっても、電子回路ユニット１の取り付けにおいて、電子回路ユニット１に応力が生じることを抑制することができる。また、このように電子回路ユニット１の取付精度を向上させることができるので、電子回路ユニット１の取付作業を容易化することができる。
【００１９】
また、取付部２が筐体４に一体形成されていることにより、取付部２と筐体４とを結合するための結合部材が不要であるので、取付部２が筐体４とは別体で設けられている場合に比べて、電子回路ユニット１の取付構造を簡素化、低コスト化することができる。
【００２０】
また、本実施形態においては、取付部２は、蛇腹部８ｃを有していることにより、比較的簡素な構成で取付部２の最大弾性変形量を大きくとることができるので、取付部２の大型化を抑制しつつ、電子回路ユニット１に応力が生じることを抑制することができる。
【００２１】
[第２の実施形態]
次に、本発明の第２の実施形態について図４及び図５を参照して説明する。第１の実施形態と同じ部分は、同一符号で示し説明も省略する。図４は、本実施形態にかかる電子回路ユニット１の取付構造を示す斜視図、図５は、電子回路ユニット１の取付構造を示す正面図である。
【００２２】
本実施形態は、筐体４と被取付部材３との間に、筐体４と被取付部材３とに当接した緩衝部材２１が配設されている点が第１の実施形態に対して異なる。緩衝部材２１は、板状に形成され、固定手段（図示せず）によって筐体４と被取付部材３とに固定されている。ここで、固定手段としては、両面テープや接着剤などを例示することができる。
【００２３】
緩衝部材２１としては、弾性を有した部材であれば良く、例えば、ゴム部材や、スポンジ部材、ゲル部材などを例示することができる。さらには、緩衝部材２１としては、弾性を有した放熱シートであってもよい。
【００２４】
このような構成によれば、緩衝部材２１によって電子回路ユニット１の耐振性を向上させることができ、よって、電子回路ユニット１の破損を防止することができる。
【００２５】
また、緩衝部材２１として、放熱シートを用いる場合には、電子回路ユニット１の放熱性を向上させることができる。
【００２６】
なお、本発明は、次のような別の実施形態に具現化することができる。以下の別の実施形態でも上記実施形態と同様の作用および効果を得ることができる。
【００２７】
（１）上記各実施形態では、取付部２が筐体４のカバー６に一体形成された例を説明したが、取付部２は筐体４のベース部材５に一体形成されていてもよい。
【００２８】
また、上記実施形態から把握し得る請求項以外の技術思想について、以下にその効果と共に記載する。
【００２９】
（イ）請求項１に記載の電子回路ユニットでは、上記筐体は、中空状に形成され、上記回路基板を内蔵しているのが好適である。
【００３０】
こうすれば、回路基板を外部環境から保護することができる。
【図面の簡単な説明】
【００３１】
【図１】本発明の第１の実施形態にかかる電子回路ユニットの取付構造を示す斜視図である。
【図２】本発明の第１の実施形態にかかる電子回路ユニットの取付構造を示す正面図である。
【図３】本発明の第１の実施形態にかかる電子回路ユニットの取付構造の一部を拡大して示す正面図である。
【図４】本発明の第２の実施形態にかかる電子回路ユニットの取付構造を示す斜視図である。
【図５】本発明の第２の実施形態にかかる電子回路ユニットの取付構造を示す正面図である。
【符号の説明】
【００３２】
１    電子回路ユニット
２    取付部
３    被取付部材
４    筐体
８ｃ  蛇腹部
２１  緩衝部材
【図１】
2007048845.tif 000003
【図２】
2007048845.tif 000004
【図３】
2007048845.tif 000005
【図４】
2007048845.tif 000006
【図５】
2007048845.tif 000007